(57)【要約】【課題】従来のＥＬの点灯方法には各種の方法があるが、基本的にはＥＬとトランス等コイルとの共振作用を利用して物理的に輝度の制御を行う方式であった。そのため、安定した輝度を長時間保つことが難しかった。【解決手段】本発明はＥＬ点灯面に光センサを配置してそのセンサの信号をＥＬ駆動の電気回路に帰還して安定した輝度を長時間保つ。また、演算処理装置及び記憶装置を使用して明るさ等の制御を容易に行う。ＥＬの長時間使用による寿命の判断及び劣化による交換時期も知る事が出来、外部への連絡が出来る。【選択図】図３
2015135796.tif 000002
【特許請求の範囲】
【請求項１】
ＥＬ発光面に光センサを配置し、光センサが検出した明るさを電気回路に帰還してＥＬから照射される光を制御するＥＬ防災表示機点灯。
【請求項２】
ＥＬを長時間点灯し、光センサの出力レベルを検出しながら輝度制御を行う。駆動電圧を変えて明るさを制御するＥＬ防災表示機点灯。
【請求項３】
ＥＬの点灯装置に演算処理装置及び記憶装置を使用する、それにより光センサの出力レベルを検出し、輝度制御を行い（Ｉ）及び（Ｊ）輝度設定部指令により明るさを制御するＥＬ防災表示機点灯。
【請求項４】
ＥＬの点灯装置に演算処理装置及び記憶装置を使用して、明るさの指令制御を外部に設置した機器により（Ｇ）の外部指令部に入力し、輝度制御を行うＥＬ防災表示機点灯。
【請求項５】
ＥＬの点灯装置に演算処理装置及び記憶装置を使用して、長時間のＥＬ点灯使用による状況を監視する、ＥＬ防災表示機点灯。
【請求項６】
ＥＬの点灯装置に演算処理装置及び記憶装置を使用して、点灯経過時間を（Ｋ）外部指令出力に出力する、ＥＬ防災表示機点灯。
【請求項７】
ＥＬの点灯装置に演算処理装置及び記憶装置を使用して、ＥＬ素子の劣化による交換時期を（Ｋ）外部指令出力に出力する、ＥＬ防災表示機点灯。
【請求項８】
ＥＬ発光面に光センサを配置し、ＥＬ発光面及び設置場所の明るさを検出した明るさを電気回路に、帰還してＥＬから照射される光を制御する、ＥＬ防災表示機点灯。
【発明の詳細な説明】
【技術分野】
【０００１】本発明は無機分散型ＥＬ防災表示機点灯に関する。
【背景技術】
【０００２】従来の無機分散型ＥＬ点灯方式は（以下ＥＬと表記）、ＥＬとトランスの物理的な共振特性を利用し、輝度補正する方法が多く用いられている。しかし、この方式を用いて長時間点灯すると輝度が暗くなり一定の明るさを保つことが難しかった。【０００３】ＥＬの輝度は、▲１▼入力交流電圧の周波数が高いほど明るい。▲２▼入力交流電圧が高いほど明るい特性を持っている。しかし、ＥＬは経年変化によっても輝度が変化するため、電圧および周波数を変化に合わせ調整し、輝度補正を行う必要があった。従来のＥＬ点灯方式を図１にて説明する。従来の輝度補正の方式は、点灯回路中ＬとＥＬ、即ちコイルとコンデンサの容量の変化を利用して輝度補正する。点灯初期はＥＬとＬの共振は発振回路より低く設定しておく。ＥＬは劣化すると内部抵抗が大きくなるため、見かけ上の静電容量が小さくなる。よってＬとの共振周波数は高くなりＥＬ両端の交流電圧は高くなり輝度は明るくなり輝度補正する。
【先行技術文献】
【０００４】
【特許文献１】特許出願平６−３１４３３７
【発明の概要】
【発明が解決しようとする課題】
【０００５】従来のＥＬ駆動装置では回路の物理的な原理を利用しての輝度補正であった。
そのため、実際の照射された光からのフィードバックはなく、安定した輝度である保証はない。ＥＬを長時間使用するためには、各素子の特性を利用した物理的な補正方法では安定した輝度の実現は難しかった。
【課題を解決するための手段】
【０００６】本発明は、ＥＬ防災表示機を長時間使用した時に輝度を一定に保つためのものである。
ＥＬは長時間使用すると、時間経過とともに輝度が低下するという欠点があるため、使用されること事が少なくなった。本発明は、上記の長時間使用すると時間経過とともに暗くなる欠点を補う発明である。【０００７】本発明の問題解決手段の構造を、図２に示す。ＡはＥＬ、ＢはＥＬ面保護用透明板、Ｃは光センサ、Ｄ・Ｅは各々の電極である。この構造により、ＥＬから発した光を保護用透明板に取り付けた光センサでその明るさを検出できる。【０００８】本発明を図３に示す。（Ａ）マイクロコンピュータ（Ｂ）増幅器（Ｃ）ＥＬ駆動装置（Ｄ）ＥＬ（Ｅ）光センサ（Ｆ）輝度信号増幅器である。（Ｊ）ボリュームは使用するＥＬの明るさを設定する。以後本項により説明する。【０００９】電源を投入すると、各部が動作し（Ａ）マイクロコンピュータは（Ｊ）輝度設定ボリュームの値を読み、それにより輝度指令を出す。その指令の信号は、輝度が高いときに大きいと仮定する。（Ｂ）の増幅器で信号を増幅して（Ｃ）ＥＬ駆動インバータを動作させ（Ｄ）のＥＬが点灯する。【００１０】（Ｄ）ＥＬが点灯するとＥＬ面に配置した（Ｅ）光センサが、明るさに応じた信号を出力する。出力は（Ｂ）輝度信号増幅に入り、小さな出力の光センサ信号を増幅する。（Ｂ）の増幅器で拡大し適正信号にした信号を（Ａ）マイクロコンピュータに入力する。【００１１】（Ｄ）ＥＬが点灯開始すると（Ａ）マイクロコンピュータは適当な時間間隔で、輝度入力の信号レベルを確認する。（Ｄ）ＥＬは点灯すると時間経過と共に輝度が低下し始め、（Ｅ）光センサ信号は低下する。【００１２】（Ｄ）ＥＬの明るさが低下すると、（Ａ）マイクロコンピュータは輝度を明るくするために以下の動作をする。【００１３】（Ｄ）ＥＬを長時間点灯しＥＬの明るさが低下すると、輝度電圧の上昇指令を出力する。（Ｃ）ＥＬ駆動インバータを動作させ、駆動インバータの輝度電圧を大きくして、輝度補正をする。
【発明の効果】
【００１４】本発明はＥＬ防災表示機を、長時間使用するために発明した装置で、今までのＥＬ駆動装置では長時間安定した輝度を保った使用はできなかった。しかし、光センサを用いた事で輝度は一定に保たれ、明るさの仕様が厳密な箇所でも使用できる。【００１５】ＥＬを一定の駆動条件内で点灯する事が出来るため、故障を少なくすることができる。
また、マイクロコンピュータでコントロールする為、各仕様に対し（Ｇ）外部指令の命令で必要な明るさを設定できる。【００１７６】本発明は光センサ及びマイクロコンピュータを使用することにより、ＥＬの明るさを管理している。そのためマイクロコンピュータの最高輝度指令を命令しても光センサの出力が低い場合、ＥＬ自体の不良と判断できる。
【図面の簡単な説明】
【００１７】
【図１】既存のＥＬ点灯の駆動回路略図
【図２】ＥＬ及び光センサ装着部図
【図３】本装置ブロック図
【発明を実施するための形態】
【００１８】以下、図１〜図３に基づいて説明する。
【００１９】図１は既存のＥＬ点灯回路の回路図で、ＥＬ駆動用の２つの半導体ＱとコイルＬ及びＥＬで構成されている。
【００２０】図２はＥＬと光センサの装着部の構造図である。本発明のＥＬ点灯の基本構造で、ＡのＥＬと透明のＥＬ面保護板に光センサを付けた構造図。
【００２１】図３は本発明の説明図である。（Ａ）はＥＬ点灯装置の各動作をさせているマイクロコンピュータ、（Ｂ）はマイクロコンピュータからの２種類の指令を整理する為の増幅器、（Ｃ）信号は微弱な為、マイクロコンピュータに入力できる信号に拡大する。
【実施例】
【００２２】
【産業上の利用可能性】
【００２３】ＥＬは非常に薄い面発光素子のため、様々な表示等への利用が考えられる。しかし、今までの点灯装置では比較的に寿命が短いため、あまり利用されてこなかった。本発明では長時間安定した輝度を得ることができる為、その薄さを利用したＥＬ防災表示機に使用できる。【００２４】防災機器などに使用した場合、ＥＬは他の平面光源と比べても厚さが薄く、軽量のため設置が容易である。また、本装置を使用すると、外部よりの指令でＥＬ面の明るさを変えられる為、災害時に停電が発生した場合でも、非常電源を利用して平常時より明るく点灯できる。【００２５】ＥＬ発光面に取り付けた、光センサを使用して周囲照度も検出できＥＬの発光と加算して見かけ上の照度が上昇します、その結果ＥＬの供給電圧を下げます。
従い、より消費電力が少なくなり省エネルギーに成ります。【００２６】光センサを使用し発光面の明るさを、長時間一定に保つため消費電力が少なくなり省エネルギーに成ります。
【符号の説明】
【００２７】（Ａ）マイクロコンピュータ
（Ｂ）輝度信号増幅器
（Ｃ）ＥＬ点灯用インバータ
（Ｄ）ＥＬ
（Ｅ）光センサ増幅器
（Ｆ）センサ用
（Ｇ）外部指令入力
（Ｈ）マイクロコンピュータ初期設定スイッチ
（Ｉ）輝度設定スイッチ
（Ｊ）輝度ボリューム
（Ｋ）外部指令出力
【図１】
2015135796.tif 000003
【図２】
2015135796.tif 000004
【図３】
2015135796.tif 000005